(57)【要約】      （修正有）【課題】軸受部外周に毛髪等が堆積することを防ぐことにより、動作が安定した遠隔操作式排水栓装置の提供を目的とする。【解決手段】弁軸２０を排水口２内に支持固定する支持部材２５は、弁軸２０を係止する軸受部２８と、放射状に延設され、軸受部２８を排水口２に固定する支承部と、軸受部２８外周に毛髪等が堆積することを防ぐガード部３１を備えている。当該ガード部３１は支承部から上方へ向けて円環状に形成された環状部と開放部を備えている。ここで、ガード部３１は弁体３５から垂設された保護部３６よりも外側に配置されているため、湯水中の毛髪等は保護部３６よりも更に外側に堆積し、弁体３５の下降時に干渉することはない。【選択図】図１
2017089095.tif 000002
【特許請求の範囲】
【請求項１】
槽体の底面に設けられた排水口と、
昇降運動により排水口の開閉を行う弁体と、
弁体の昇降操作を行う操作部と、
弁体と連結され、操作部の操作に基づいて弁体を昇降させる弁軸と、
弁軸を排水口内に支持固定する支持部材から成る遠隔操作式排水装置であって、
支持部材は、弁軸を係止する軸受部と、
放射状に延設され、軸受部を排水口に固定する支承部を有し、
上記支持部材は、軸受部外周に毛髪等が堆積することを防ぐガード部を備えることを特徴とする遠隔操作式排水栓装置。
【請求項２】
上記遠隔操作式排水栓装置において、
操作部に加えられた操作を弁体へと伝達するレリースワイヤを備え、
上記弁軸はレリースワイヤ端部に備えられることを特徴とする請求項１に記載の遠隔操作式排水栓装置。
【請求項３】
上記弁体は、弁体裏面より延設され、弁体の下降時に軸受部を覆う保護部を有し、
上記ガード部は、支持部材上面と保護部下端との間に毛髪等が堆積することを防ぐことを特徴とする請求項１又は請求項２に記載の遠隔操作式排水栓装置。
【請求項４】
上記ガード部は、弁体の下降時において、保護部の外側に配置されることを特徴とする請求項３に記載の遠隔操作式排水栓装置。
【請求項５】
上記ガード部が、支持部材と一体に成形されていることを特徴とする請求項１乃至請求項４のいずれか１つに記載の遠隔操作式排水栓装置。
【請求項６】
上記ガード部が、支持部材に載置されるヘアキャッチャーに形成されていることを特徴とする請求項１乃至請求項４のいずれか１つに記載の遠隔操作式排水栓装置。
【請求項７】
上記ガード部が、軸受部の周囲において円環状に形成された環状部を備えることを特徴とする請求項１乃至請求項６のいずれか１つに記載の遠隔操作式排水栓装置。
【発明の詳細な説明】
【技術分野】
【０００１】
本願発明は、浴槽や洗面ボウル、シンク等の槽体の底面に形成された排水口の開閉を行う弁体を遠隔的に操作する遠隔操作式排水栓装置に関するものである。
【背景技術】
【０００２】
従来、操作部に加えられた操作を、レリースワイヤを介して伝達することによって当該弁体を昇降させ、槽体底部に形成された排水口の開閉を行う遠隔操作式排水栓装置が知られている。
【０００３】
上記遠隔操作式排水栓装置は、レリースワイヤの端部を排水口内に支持固定するための支持部材を有しており、当該支持部材は排水口の内周面に沿って形成されたリング体と、レリースワイヤの先端を係止する軸受部と、当該軸受部からリング体へ向けて放射状に延設され、軸受部排水口内に固定する支承部を有している。
又、上記弁体は裏面より下方へ向けて筒状の保護部を有している。当該保護部の内径は軸受部の外径と略同径であって、軸受部及びレリースワイヤの端部を覆う様配置されており、弁体の昇降動作のガイドを行うとともに、弁体に対して側方より衝撃が加えられた際、当該弁体の抜脱を防ぐ効果を有している。
【先行技術文献】
【特許文献】
【０００４】
【特許文献１】特開２０１０−１８９８６６号公報
【発明の概要】
【発明が解決しようとする課題】
【０００５】
上記弁体は下降時において、保護部の下端が支持部材の支承部と近接し、その隙間は僅かなものとなる。一方、弁体の上昇時において、槽体からの排出された湯水は弁体と排水栓との間より、排水口の中心に向けて流入する流れを有する。従って、湯水内に混入している毛髪等は、湯水の流れに従って軸受部と衝突し、図１２及び図１３の図中においてＨで示すように、軸受部外周に毛髪等が巻き付き、堆積する。この時、毛髪等が弁体の下降時における支持部材と保護部との隙間よりも高く堆積してしまった場合、図１４に示すように、弁体が所定位置まで下降することができず、排水口を閉塞することが不可能となり、漏水が生じてしまう。
【０００６】
本願発明は上記問題に鑑み発明されたものであって、軸受部外周に毛髪等が堆積することを防ぐことにより、動作が安定した遠隔操作式排水栓装置の提供を目的とする。
【課題を解決するための手段】
【０００７】
請求項１に記載の本発明は、槽体の底面に設けられた排水口と、
昇降運動により排水口の開閉を行う弁体と、
弁体の昇降操作を行う操作部と、
弁体と連結され、操作部の操作に基づいて弁体を昇降させる弁軸と、
弁軸を排水口内に支持固定する支持部材から成る遠隔操作式排水装置であって、
支持部材は、弁軸を係止する軸受部と、
放射状に延設され、軸受部を排水口に固定する支承部を有し、
上記支持部材は、軸受部外周に毛髪等が堆積することを防ぐガード部を備えることを特徴とする遠隔操作式排水栓装置である。
【０００８】
請求項２に記載の本発明は、上記遠隔操作式排水栓装置において、
操作部に加えられた操作を弁体へと伝達するレリースワイヤを備え、
上記弁軸はレリースワイヤ端部に備えられることを特徴とする請求項１に記載の遠隔操作式排水栓装置である。
【０００９】
請求項３に記載の本発明は、上記弁体は、弁体裏面より延設され、弁体の下降時に軸受部を覆う保護部を有し、
上記ガード部は、支持部材上面と保護部下端との間に毛髪等が堆積することを防ぐことを特徴とする請求項１又は請求項２に記載の遠隔操作式排水栓装置である。
【００１０】
請求項４に記載の本発明は、上記ガード部は、弁体の下降時において、保護部の外側に配置されることを特徴とする請求項３に記載の遠隔操作式排水栓装置である。
【００１１】
請求項５に記載の本発明は、上記ガード部が、支持部材と一体に成形されていることを特徴とする請求項１乃至請求項４のいずれか１つに記載の遠隔操作式排水栓装置である。
【００１２】
請求項６に記載の本発明は、上記ガード部が、支持部材に載置されるヘアキャッチャーに形成されていることを特徴とする請求項１乃至請求項４のいずれか１つに記載の遠隔操作式排水栓装置である。
【００１３】
請求項７に記載の本発明は、上記ガード部が、軸受部の周囲において円環状に形成された環状部を備えることを特徴とする請求項１乃至請求項６のいずれか１つに記載の遠隔操作式排水栓装置である。
【発明の効果】
【００１４】
請求項１及び請求項４に記載の本発明によれば、ガード部によって軸受部外周に毛髪等が堆積することを防ぐことにより、遠隔操作式排水栓装置の動作を安定させることが可能となる。
請求項５に記載の本発明によれば、支持部材にガード部が一体成形されていることから、ガード部を別体として形成する場合に比べ、排水口内部の流路を広く確保することが可能となる。
請求項６に記載の本発明によれば、ガード部がヘアキャッチャーに形成されていることにより、堆積した毛髪等を容易に除去し、清掃することが可能となる。
請求項７に記載の本発明によれば、ガード部が円環状に形成された環状部を備えることにより、より効率的に毛髪等が軸受部外周に堆積することを防ぐことができる。
【図面の簡単な説明】
【００１５】
【図１】本発明の遠隔操作式排水栓装置を示す断面図である。
【図２】本発明の遠隔操作式排水栓装置の施工状態を示す断面図である。
【図３】支持部材を示す斜視図である。
【図４】本発明の一部の部材構成を示す分解断面図である。
【図５】本発明の支持部材を示す（ａ）平面図（ｂ）底面図である。
【図６】図５のＡ−Ａ’断面における支持部材を示す断面図である。
【図７】本発明の湯水の流れを示す断面図である。
【図８】本発明の第二実施形態における支持部材及びヘアキャッチャーを示す分解斜視図である。
【図９】本発明の第二実施形態における支持部材及びヘアキャッチャーを示す斜視図である。
【図１０】本発明の第三実施形態における支持部材を示す斜視図である。
【図１１】本発明の第四実施形態における支持部材を示す斜視図である。
【図１２】従来例における湯水の流れを示す断面図である。
【図１３】軸受部外周に毛髪等が堆積した状態を示す斜視図である。
【図１４】軸受部外周に毛髪等が堆積した状態における弁体の下降状態を示す断面図である。
【発明を実施するための形態】
【００１６】
以下に、本発明の遠隔操作式排水栓装置を、図面を参照しつつ説明する。尚、以下に記載する説明は実施形態の理解を容易にするためのものであり、これによって発明が制限して理解されるものではない。又、以下の実施形態においては、特に断りの無い限り図１及び図２に示す施工状態を基準として上下左右及び部材同士の位置関係を説明する。
【００１７】
本実施形態に係る遠隔操作式排水栓装置は、図１乃至図４に示すように、槽体Ｂに取り付けられ、排水栓１、排水器５、操作部１０、レリースワイヤ１５、支持部材２５、弁体３５より構成されている。
【００１８】
槽体Ｂは上方が開口された箱状の浴槽であって、浴室内において、図示しない洗い場に隣接して配置されている。又、槽体Ｂはその底面及び縁部に開口を有し、当該開口に排水栓１、操作部１０がそれぞれ取り付けられている。
【００１９】
排水栓１は槽体Ｂの底面に形成された開口に取り付けられ、軸方向に形成された貫通孔によって排水口２を形成する略円筒状の部材である。排水栓１の外周には雄螺子が螺刻されており、槽体Ｂの裏面に配置された排水器５と螺合されているとともに、内周には凸部３が形成されており、当該凸部３に支持部材２５が固定されている。尚、排水栓１は上端より外側に向けて鍔部が形成されており、パッキンを介して鍔部と排水器５の上面とで槽体Ｂの底面に形成された開口周縁を水密に挟持している。
【００２０】
排水器５は槽体Ｂ裏面に配置され、内部に流入した排水を排出する排出口６が側面に開口されているとともに、排出口６と対向する側面にはレリースワイヤ１５が挿通される挿通孔７が形成されている。尚、排出口６には更に下流側へと連続する排水配管（図示せず）が連結されている。
【００２１】
操作部１０は槽体Ｂの縁部に形成された開口に取り付けられ、上下方向に押動可能な操作ボタン１１とスラストロック機構１２より構成されている。
スラストロック機構１２は内部に回転ギア及び固定ギアを備え、上記操作ボタン１１裏面に嵌合されたロック軸１３が押動されることで、下端に接続されたインナーワイヤ１７を進退させて弁体３５を上昇させるとともに、回転ギアと固定ギアの噛合によって当該弁体３５の上昇状態を保持する機構である。尚、ロック軸１３が再び押動されると、回転ギアと固定ギアの噛合が解除されることにより、弁体３５の上昇状態の保持が解除される。従って、スラストロック機構１２はロック軸１３が押動される毎に弁体の上昇状態と下降状態を切り替えることができる。
【００２２】
レリースワイヤ１５はアウターチューブ１６、インナーワイヤ１７、及び弁軸２０からなり、一端がスラストロック機構１２の下端と連結されており、他端が支持部材２５によって排水口２内に係止されている。アウターチューブ１６は側面方向に可撓性を有する樹脂製のチューブ体であって、内部には側面方向に可撓性を有する金属の撚り線であるインナーワイヤ１７が摺動可能に配置されている。尚、レリースワイヤ１５はスラストロック機構１２側端部において、インナーワイヤ１７を常にスラストロック機構１２側へと付勢する戻りスプリングを有している。
弁軸２０はレリースワイヤ１５の端部に形成されており、外筒２２及び内筒２１から成る筒状体であって、外筒２２にはアウターチューブ１６が、内筒２１にはインナーワイヤ１７がそれぞれ連結されている。ここで、上記外筒２２は支持部材２５の軸受部２８に係止されており、内筒２１は上端に弁体３５が連結されている。従って、インナーワイヤ１７がアウターチューブ１６内を摺動することで内筒２１が外筒２２より突出し、弁体３５を上昇させることが可能となっている。
【００２３】
支持部材２５は、図３乃至図６に示すように、リング体２６、軸受部２８、支承部３０、ガード部３１より構成されている。尚、図６は図５のＡ−Ａ’断面であるが、部材構造の理解を容易にするため、支持部材２５のみを記載している。
リング体２６は支持部材２５の外周に形成された円形部分であって、その外径が排水栓１の内径と略同径に形成されている。又、リング体２６は下端より下方に向けて取付部２７が９０度毎に４箇所延設されている。当該取付部２７の内、対向する位置に形成された２つの取付部２７は略Ｌ字状の爪部を有し、排水栓１の内周に形成された凸部３と係合することで支持部材２５が排水栓１から抜脱不能となるよう固定しているとともに、残る２つの取付部２７は凸部３の間に配置されている。
軸受部２８は支持部材２５の中心に形成された筒状であって、内部に弁軸２０を収納する空間を有し、上端近傍において内側に突出する突起部２９が形成されている。又、軸受部２８は下端においてＣ字リング４０が取り付けられており、内部に配置された弁軸２０は突起部２９及びＣ字リング４０に挟持されることによって支持部材２５に係止されている。
支承部３０は軸受部２８からリング体２６へ向けて放射状に延設されており、軸受部２８とリング体２６を連結している。
ガード部３１は支承部３０から上方に向けて円環状に形成された環状部３２と、開放部３３を備えている。ここで、ガード部３１は図１に示すように、保護部３６よりも外側に配置されており、図７に示すように、弁体３５の上昇時においてガード部３１（環状部３２）の上端は保護部３６下端と略同一高さに形成されている。又、開放部３３はガード部３１下端において周方向に複数箇所形成されており、ガード部３１の内側に流入した湯水の排出を行うことが可能となっている。
【００２４】
弁体３５は外周面にパッキンが嵌着された蓋部材であり、図１に示すように、弁体３５が下降している状態においては当該パッキンが排水栓１と当接することによって排水口２を水密に閉塞している。又、弁体３５は裏面において弁軸２０の先端が嵌合されているとともに、当該嵌合部の周囲より保護部３６が垂設されている。当該保護部３６は筒状であって、その内径は軸受部２８の外径よりも大径であるとともに、保護部３６の外径はガード部３１の内径よりも小径であって、軸受部２８を上方から覆うようにして、軸受部２８の外側且つガード部３１の内側に配置されている。当該保護部３６は弁体３５の昇降動作をガイドするとともに、弁体３５の上昇時に側方より衝撃が加わった際に、弁体３５の抜脱を防ぐ効果を有している。
【００２５】
以下に、上記遠隔操作式排水栓装置の動作について説明する。
【００２６】
まず、図１及び図２に示す弁体３５の下降状態において、弁体３５の周囲に嵌着されたパッキンは排水栓１の上面と水密に当接しており、槽体Ｂ内に湯水を貯留することが可能となっている。当該弁体３５の下降状態より操作ボタン１１が押動されると、操作ボタン１１裏面に嵌合されたロック軸１３が下降することによりインナーワイヤ１７がアウターチューブ１６内を弁体３５側に向けて摺動し、内筒２１が弁体３５を突き上げ、上昇させる。この時、弁体３５に嵌着されたパッキンは排水栓１から離間し、排水口２が開口されることによって槽体Ｂ内の湯水が排出される。又、ロック軸１３の下降に伴いスラストロック機構１２内の回転ギアが回動し、固定ギアと噛合することによって弁体３５の上昇状態が保持される。尚、弁体３５が上昇状態にある時、保護部３６の下端はガード部３１上端と略同一の高さとなる。
【００２７】
上記弁体３５の上昇状態より、再び操作ボタン１１が押動されると、スラストロック機構１２内の回転ギアと固定ギアの噛合が解除され、弁体３５は自重及び戻りスプリングによって下降する。この時、弁体３５に嵌着されたパッキンが再び排水栓１上面と水密に当接し、排水口２が閉口する。尚、弁体３５が下降状態にある時、保護部３６の下端はガード部３１内側における支持部材２５の上面とほぼ等しい高さとなる。
【００２８】
次に、上記遠隔操作式排水栓装置が取り付けられた槽体Ｂからの湯水の流れについて説明する。
【００２９】
弁体３５が上昇状態にある時、槽体Ｂ内に貯留された湯水は、弁体３５と排水栓１との間より、排水栓１内（排水口２）へと排出される。この時、図７において矢印で示すように、当該湯水は排水口２の中心に向けて流入する流れを有するが、湯水内に混入している毛髪等は軸受部２８の外側に配置されたガード部３１に衝突し、排出口６より排出される。
ここで、ガード部３１は保護部３６の外側に配置されていることから、湯水内に混入している毛髪等は軸受部２８外周に巻き付くことができない。当該毛髪等が堆積する場合には、保護部３６の外側に配置されたガード部３１外周に堆積されることから、弁体３５下降時に保護部３６下端と干渉することはない。従って、本発明はガード部３１によって支持部材２５上面と保護部３６下端との間に毛髪等が堆積することを防ぐことにより、毛髪等の堆積に伴う弁体３５の下降不足による漏水を防ぐことが可能となる。尚、ガード部３１の内側に湯水が流入した場合、当該湯水は開放部３３より排出される。
【００３０】
本発明の第一実施形態は以上であるが、本発明は上記形状に限定されるものではく、発明の要旨を逸脱しない範囲において種々の形状変更を行うことが可能である。例えば、上記第一実施形態においては、ガード部３１は支持部材２５と一体に形成されていたが、図８及び図９に示す第二実施形態のように、支持部材２５とガード部３１を別体として形成しても良い。尚、第二実施形態におけるガード部３１は、支持部材２５に載置されるヘアキャッチャー４５に形成されているため、支持部材２５より当該ヘアキャッチャー４５を取り外すことで、堆積した毛髪等の清掃を行うことが可能となる。
【００３１】
又、上記各実施形態において、ガード部３１は軸受部２８の周囲において、全周に亘って環状に形成された環状部３２を有していたが、図１０に示すように、環状部３２の一部に切り欠きが形成されても良く、又、図１１に示すように、ガード部３１が棒状であって環状部を有さない等、種々の形状変更が成されていてくとも良い。
【００３２】
又、上記各実施形態において、操作部１０はレリースワイヤを介して弁体３５の操作を行っていたが、レリースワイヤを有さず、弁体３５自体を直接押動することによって弁体３５の昇降操作を行う遠隔操作式排水栓装置であっても良い。この場合においては、弁体３５自体が操作部１０として機能する。
【００３３】
又、上記各実施形態において、弁体３５の上昇時において、保護部３６の下端はガード部３１の上端と略同一高さであったが、弁体３５の上昇時における保護部３６の下端がガード部３１の上端よりも上方であっても良く、又、下方であっても良い。
【００３４】
又、本発明は軸受部２８外周に毛髪等が堆積することを防ぐことにより、遠隔操作式排水栓装置の動作を安定させることを目的とするものである。従って、各実施形態においては、ガード部３１を設けることによって、弁体３５の下降時に軸受部２８外周に堆積した毛髪等と弁体３５の保護部３６が干渉することを防いでいるが、弁体３５は必ずしも保護部３６を備えている必要は無い。即ち、弁体３５の下降時において、軸受部２８外周に堆積した毛髪等と弁体３５のいずれかの部分が干渉する場合において、本発明におけるガード部３１は効果を奏するものである。
【符号の説明】
【００３５】
１          排水栓
２          排水口
３          凸部
５          排水器
６          排出口
７          挿通孔
１０        操作部
１１        操作ボタン
１２        スラストロック機構
１３        ロック軸
１５        レリースワイヤ
１６        アウターチューブ
１７        インナーワイヤ
２０        弁軸
２１        内筒
２２        外筒
２５        支持部材
２６        リング体
２７        取付部
２８        軸受部
２９        突起部
３０        支承部
３１        ガード部
３２        環状部
３３        開放部
３５        弁体
３６        保護部
４０        Ｃ字リング
４５        ヘアキャッチャー
Ｂ          槽体
Ｈ          毛髪等
【図１】
2017089095.tif 000003
【図２】
2017089095.tif 000004
【図３】
2017089095.tif 000005
【図４】
2017089095.tif 000006
【図５】
2017089095.tif 000007
【図６】
2017089095.tif 000008
【図７】
2017089095.tif 000009
【図８】
2017089095.tif 000010
【図９】
2017089095.tif 000011
【図１０】
2017089095.tif 000012
【図１１】
2017089095.tif 000013
【図１２】
2017089095.tif 000014
【図１３】
2017089095.tif 000015
【図１４】
2017089095.tif 000016